(57)【特許請求の範囲】
【請求項１】
着信信号を受信する通信手段と、
該通信手段で受信した着信信号から発呼側の電話番号を検出する電話番号検出手段と、
電話番号に対応した識別情報を記憶している記憶手段と、
少なくとも前記電話番号検出手段で検出した前記電話番号と前記電話番号に対応した識別情報を表示する表示手段と、
電話番号毎に該電話番号を表示手段に表示／非表示する設定を登録する設定手段、および、電話番号毎に該電話番号に対応した識別情報を前記表示手段に表示／非表示する設定を登録する設定手段、を具備し、
着信信号から発呼側の電話番号を検出した場合に、前記設定手段において登録した電話番号の表示／非表示の設定、および、該電話番号に対応した識別情報の表示／非表示の設定に基づいて、前記表示手段における前記電話番号の表示／非表示、および、前記電話番号に対応した識別情報の表示／非表示の制御を行うことを特徴とする通信端末。
【発明の詳細な説明】
【０００１】
【発明の属する技術分野】
本発明は、通信端末の着信データ表示制御に関し、より詳しくは、通信端末の設定により発番号に対応する情報を表示／非表示制御する技術に関する。
【０００２】
【従来の技術】
近年、通信サービス網が発呼側通信端末の電話番号（以下、発番号と呼ぶ）を着呼側に通知するサービスを始めて、着呼側の通信端末はこの発番号や発番号に対応した名前及びその他情報を着呼時に表示部に表示することで発呼者の識別が出来るようにしていた。
【０００３】
又、発呼側からの発呼信号に含まれるサブアドレス領域（発サブアドレス、着サブアドレス）に文字情報を示すデータが含まれていると、着呼側の通信端末表示部にこの文字情報を表示するようにしていた。
【０００４】
【発明が解決しようとする課題】
しかしながら、従来の通信端末では、発呼側から電話番号、文字情報（特に発サブアドレス領域に含まれているもの）が送信された場合、着呼側の通信端末の設定に関わらず上記電話番号、電話番号に対応する情報（名前やニックネーム等）、及び文字情報を表示部に自動で表示するようになっているため、着呼側端末の持ち主だけでなく、他の人にも発呼者を知られたり、文字情報を読まれたりするなど個人情報を知られてしまう恐れがあった。
【０００５】
【課題を解決するための手段】
上記課題を解決するために請求項１記載の通信端末は、発呼側から送信される発呼信号に含まれる情報に基づいて着信側で発呼者の識別を可能とする通信端末において、
発呼側からの発呼信号を受信する通信手段と、
該通信手段で受信した発呼信号から発呼側の電話番号を検出する電話番号検出手段と、
該電話番号検出手段で検出した電話番号を表示する表示手段と、
前記発呼信号に含まれる電話番号を前記表示手段に表示／非表示する設定を登録するメニュー設定手段と、
前記電話番号検出手段が前記発呼信号から発呼側の電話番号を検出した場合、前記メニュー設定手段において登録した表示／非表示の設定に従って、前記表示手段における前記電話番号の表示／非表示を制御する制御手段と、を具備したことを特徴とする。
【０００６】
また、請求項２記載の通信端末は、発呼側から送信される発呼信号に含まれる情報に基づいて着信側で発呼者の識別を可能とする通信端末において、
発呼側からの発呼信号を受信する通信手段と、
該通信手段で受信した発呼信号から発呼側の電話番号を検出する電話番号検出手段と、
該電話番号に対応して名前等の識別情報を記憶している記憶手段と、
少なくとも前記電話番号検出手段で検出した前記電話番号に対応した識別情報を表示する表示手段と、
前記発呼信号に含まれる電話番号に対応した前記識別情報を前記表示手段に表示／非表示する設定を登録するメニュー設定手段と、
前記電話番号検出手段が前記発呼信号から発呼側の電話番号を検出した場合、前記メニュー設定手段において登録した表示／非表示の設定に従って、前記表示手段における前記電話番号に対応した識別情報を前記記憶手段から読み出して表示／非表示の制御をする制御手段と、を具備したことを特徴とする。
【０００７】
また、請求項３記載の通信端末は、発呼側から送信される発呼信号に含まれる情報に基づいて着信側で発呼者の識別を可能とする通信端末において、
発呼側からの発呼信号を受信する通信手段と、
該通信手段で受信した発呼信号からサブアドレスを検出するサブアドレス検出手段と、
前記サブアドレス検出手段で検出したサブアドレスを表示する表示手段と、
前記発呼信号に含まれるサブアドレスを前記表示手段に表示／非表示する設定を登録するメニュー設定手段と、
前記サブアドレス検出手段が前記発呼信号からサブアドレスを検出した場合、前記メニュー設定手段において登録した表示／非表示の設定に従って、前記表示手段における前記サブアドレスの表示／非表示を制御する制御手段と、を具備したことを特徴とする。
【０００８】
【発明の実施の形態】
以下、本発明の一実施例に基づいて図を用いて説明する。尚、同一の構成を示す箇所は同一の符号を用いている。
図１は、本発明に係る通信端末の一実施例を示す携帯電話機のブロック図である。図１の構成部を示す各符号は、１はアンテナ、２は無線信号の送信／受信を行う通信部、３は通信部２が受信した無線信号に含まれている発呼者の電話番号を検出する電話番号検出手段、４は通信部２が受信した無線信号に含まれているサブアドレスを検出するサブアドレス検出部、５は電話番号やサブアドレスの情報及び機能設定メニュー等を表示する表示部、６は電話番号等の入力や機能の設定入力をする操作部、７は操作部６から入力た機能設定に従って動作するように管理しているメニュー設定部、８は電話番号や電話番号に対応した名前等の情報を記憶している記憶部、９はメニュー設定部７の設定環境に従って各種構成部を動作させるＣＰＵ、を示す。
【０００９】
図１を用いて動作の説明をする。
先ず、加入者は操作部６を使って、着呼時に通知される発番号乃至発番号に対応して記憶部８に記憶している名前を表示部５に表示するかどうかの設定を入力する。この加入者の設定はメニュー設定部７が登録しておき、着呼毎にこの登録している設定に従ってＣＰＵ９が表示／非表示動作処理をする。又、着呼信号のサブアドレスに含まれている情報も着呼の都度、表示するか表示しないかを予め操作部６を用いて設定しておき、メニュー設定部に登録させておく。
【００１０】
次に、発呼側から呼び出しが有った場合の着呼側の動作についてフローチャートを用いて説明する。
図２は、発番号表示に関する本発明の通信端末の一実施例を示すフローチャートを表す。
発呼側からの着呼を示す着信信号を受信すると（ステップ１０１）、発番号の通知がされているか確認をする（ステップ１０２）。ここで、発番号の通知がなければ、発番号を表示しない（ステップ１０３）。次に、発番号の通知が有れば、今度は発番号を表示部に表示する設定になっているか確認する（ステップ１０４）。ここで、発呼側を識別する発番号を第３者に見られないように「発番号非表示」の設定になっている場合は、発番号の表示はしない（ステップ１０３）。そして、発番号を表示する設定になっている場合は、発番号に対応している名前等の情報が記憶されているか確認をして（ステップ１０５）、発番号に対応した情報があればそれも表示部に表示する（ステップ１０６）。又、発番号に対応した情報がなければ発番号のみを表示する（ステップ１０７）。そして、上記発番号の表示／非表示設定に従ってこれらの処理を行うとともに、着呼側端末の着信報知を行う（ステップ１０８）。
【００１１】
図３は、サブアドレスに含まれた情報の表示に関する本発明の通信端末の一実施例を示すフローチャートを表す。
発呼側からの着呼を示す着信信号を受信すると（ステップ２０１）、着信信号のサブアドレス領域（発サブアドレス又は着サブアドレスの領域）に文字や画像を示す情報が含まれているか確認をする（ステップ２０２）。ここで、サブアドレス領域に文字や画像を示す情報が含まれていなければ、この情報を表示しない（ステップ２０３）。次に、サブアドレス領域に文字や画像を示す情報が含まれていれば、今度はこの情報を表示部に表示する設定になっているか確認する（ステップ２０４）。ここで、この文字や画像を第３者に見られないように「サブアドレスの情報非表示」の設定になっている場合は、サブアドレス領域に含まれている文字や画像を示す情報の表示はしない（ステップ２０３）。そして、サブアドレスの情報を表示する設定になっている場合は、この文字や画像の情報を着信報知時に表示する（ステップ１０７）。そして、上記発番号の表示／非表示設定に従ってこれらの処理を行うとともに、着呼側端末の着信報知を行う（ステップ１０８）。
【００１２】
又、上記一実施例中には、表示／非表示の設定をメニュー設定部が登録するようになっているが、電話番号等を記憶している記憶部が設定の記憶を兼ねても良い。
【００１３】
又、上記一実施例では、どの着呼に対しても表示／非表示の設定に従って表示部における表示の制御をする構成になっているが、各電話番号毎に表示／非表示の設定登録を行い、受信した発番号に基づいて動作するように構成しても同様の効果を奏する。
【００１４】
又、上記一実施例では、発番号とサブアドレス領域のそれぞれについての動作制御を示したが、発番号は表示するがサブアドレス領域内の情報は表示しないといった複合型の設定も可能である。
【００１５】
【発明の効果】
以上の構成により、本発明の通信端末を用いれば、発呼側から電話番号や文字や画像を示す情報が送信されてきた時に、着呼側では表示部における表示／非表示の設定に従って表示したり表示しなかったり出来るので、使用時の状況に応じて加入者が自由に表示部の表示形態を変更することが出来る。
【００１６】
よって、本発明の通信端末では、発呼者の名前や発番号を表示しないようにできるので、着呼時に他人に見られることがない。更に、着呼時に、発番号は表示するが、サブアドレスに含まれた文字や画像は表示しない様にすることもできるので、発呼者に合わせて着呼側端末の表示を隠す（シークレットにする）設定が出来るといった効果がある。
【図面の簡単な説明】
【図１】本発明に係る通信端末の一実施例を示す携帯電話機のブロック図。
【図２】発番号表示に関する本発明の通信端末の一実施例を示すフローチャート。
【図３】サブアドレスに含まれた情報の表示に関する本発明の通信端末の一実施例を示すフローチャート。
【符号の説明】
１：アンテナ
２：通信部
３：電話番号検出手段
４：サブアドレス検出部
５：表示部
６：操作部
７：メニュー設定部
８：記憶部
９：ＣＰＵ
【図１】
0003732960.tif 000002
【図２】
0003732960.tif 000003
【図３】
0003732960.tif 000004